Podtech/llm-jp-corpus-v4-ja_patent huggingface dataset:
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
ボトムカバーとトップカバーで構成されたフレームの内部には、
スピンドルモータにより駆動されるターンテーブルと、
装着されたディスクの情報を読み込むためのピックアップと、
前記ピックアップを前記ディスクの直径方向に移動するためのトラバースユニットと、
前記トラバースユニットの一端側に設けた前記ターンテーブルと、
前記ターンテーブルが前記ボトムカバーと近接離間するように回動自在に設けた前記トラバースユニットと、
ディスク挟着状態では前記ターンテーブルが前記ボトムカバーから離間した状態となり、ディスク待機状態では前記ターンテーブルが前記ボトムカバーに近接した状態となるとともに前記ピックアップを前記ディスクの外周方向に移動させているディスクローディング装置において、
前記ターンテーブルと前記ピックアップとの間にストッパーを設け、前記ストッパーを弾性部材で構成し、前記トラバースユニットの降下動作によって前記ストッパーが前記ボトムカバーに当接することで、前記ストッパーの端部が前記ピックアップを阻止する位置に配置されることを特徴とするディスクローディング装置。
【請求項２】
前記ストッパーは、前記ディスク待機時に、前記ピックアップが摺動するレールに当接するように構成したことを特徴とする請求項１に記載のディスクローディング装置。
【請求項３】
前記端部を折り曲げ処理したことを特徴とする請求項１に記載のディスクローディング装置。
【請求項４】
前記ディスクの排出時において、前記トラバースユニットを下降する前に、前記ピックアップを前記ディスクの外周方向に移動することを特徴とする請求項１に記載のディスクローディング装置。
【請求項５】
前記ボトムカバーに突起を設け、前記ストッパーを前記突起に当接させることを特徴とする請求項１に記載のディスクローディング装置。
【手続補正２】
【補正対象書類名】明細書
【補正対象項目名】０００５
【補正方法】変更
【補正の内容】
【０００５】
請求項１記載の本発明のディスクローディング装置は、ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットと、前記トラバースユニットの一端側に設けた前記ターンテーブルと、前記ターンテーブルが前記ボトムカバーと近接離間するように回動自在に設けた前記トラバースユニットと、ディスク挟着状態では前記ターンテーブルが前記ボトムカバーから離間した状態となり、ディスク待機状態では前記ターンテーブルが前記ボトムカバーに近接した状態となるとともに前記ピックアップを前記ディスクの外周方向に移動させているディスクローディング装置において、前記ターンテーブルと前記ピックアップとの間にストッパーを設け、前記ストッパーを弾性部材で構成し、前記トラバースユニットの降下動作によって前記ストッパーが前記ボトムカバーに当接することで、前記ストッパーの端部が前記ピックアップを阻止する位置に配置されることを特徴とする。
請求項２記載の本発明は、請求項１に記載のディスクローディング装置において、前記ストッパーは、前記ディスク待機時に、前記ピックアップが摺動するレールに当接するように構成したことを特徴とする。
請求項３記載の本発明は、請求項１記載のディスクローディング装置において、前記端部を折り曲げ処理したことを特徴とする。
請求項４記載の本発明は、請求項１記載のディスクローディング装置において、前記ディスクの排出時において、前記トラバースユニットを下降する前に、前記ピックアップを前記ディスクの外周方向に移動することを特徴とする。
請求項５記載の本発明は、請求項１記載のディスクローディング装置において、前記ボトムカバーに突起を設け、前記ストッパーを前記突起に当接させることを特徴とする。
【手続補正３】
【補正対象書類名】明細書
【補正対象項目名】０００７
【補正方法】変更
【補正の内容】
【０００７】
本発明の第１の実施の形態によるディスクローディング装置は、ターンテーブルとピックアップとの間にストッパーを設け、ストッパーを弾性部材で構成し、トラバースユニットの降下動作によってストッパーがボトムカバーに当接することで、ストッパーの端部がピックアップを阻止する位置に配置されるものである。本実施の形態によれば、装置の小型化及び薄型化を実現し、かつピックアップを安定して確実に停止させることができる。
本発明の第２の実施の形態は、第１の実施の形態によるディスクローディング装置において、ストッパーを、ディスク待機時に、ピックアップが摺動するレールに当接するように構成したものである。本実施の形態によれば、摺動箇所にて動作を規制することで確実な固定を行うことができる。
本発明の第３の実施の形態は、第１の実施の形態によるディスクローディング装置において、端部を折り曲げ処理したものである。本実施の形態によれば、衝撃を和らげることができる。
本発明の第４の実施の形態は、第１の実施の形態によるディスクローディング装置において、ディスクの排出時において、トラバースユニットを下降する前に、ピックアップをディスクの外周方向に移動するものである。本実施の形態によれば、ストッパーによる干渉を防止することができ、ピックアップの退避動作を確実に行うことができる。
本発明の第５の実施の形態は、第１の実施の形態によるディスクローディング装置において、ボトムカバーに突起を設け、ストッパーを突起に当接させるものである。本実施の形態によれば、ストッパーの変位量を少なくすることができる。
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
シャーシ外装を構成しているベース本体と蓋体と、
前記シャーシ外装のフロント面にディスクを直接挿入するディスク挿入口と、
を備えたスロットイン型ディスク装置において、
前記ベース本体の一部に開口部と、
前記開口部に、前記ベース本体よりも板厚の薄いプレートを取り付けることで形成された前記ベース本体の前記蓋体側表面よりも凹んだ空間と、
前記空間の上方位置を、前記ディスクを引き込むレバーの動作範囲としたことを特徴とするスロットイン型ディスク装置。
【請求項２】
前記ベース本体を構成している深底部と浅底部と、
前記浅底部によって形成されたフロント面からリア面に至るウイング部と、
前記空間を前記ウイング部に設けたことを特徴とする請求項１に記載のスロットイン型ディスク装置。
【請求項３】
シャーシ外装を構成しているベース本体と蓋体と、
前記ベース本体を構成している深底部と浅底部と、
前記浅底部によって形成されたフロント面からリア面に至るウイング部と、
前記シャーシ外装のフロント面にディスクを直接挿入するディスク挿入口と、
を備えたスロットイン型ディスク装置において、
前記ウイング部の一部に開口部と、
前記開口部に、前記ウイング部よりも板厚の薄いプレートを取り付けることで形成された前記ウイング部の前記蓋体側表面よりも凹んだ空間と、
前記ウイング部には、引き込みレバーと、
前記引き込みレバーはサブレバーによって動作し、前記空間の上方位置を、前記サブレバーの動作範囲としたことを特徴とするスロットイン型ディスク装置。
【請求項４】
前記サブレバーの一端に凸部を、他端側に回動支点をそれぞれ備え、
前記回動支点を前記深底部上に配置し、
前記凸部を前記引き込みレバーの長溝内で摺動させ、
前記凸部を前記サブレバーの前記蓋体側の面に、前記長溝を前記引き込みレバーの前記ベース本体側の面にそれぞれ配置したことを特徴とする請求項３に記載のスロットイン型ディスク装置。
【請求項５】
前記空間は、前記凸部の移動軌跡を弧側とする扇形に形成したことを特徴とする請求項４に記載のスロットイン型ディスク装置。
【手続補正２】
【補正対象書類名】明細書
【補正対象項目名】０００５
【補正方法】変更
【補正の内容】
【０００５】
請求項１記載の本発明のスロットイン型ディスク装置は、シャーシ外装を構成しているベース本体と蓋体と、前記シャーシ外装のフロント面にディスクを直接挿入するディスク挿入口と、を備えたスロットイン型ディスク装置において、前記ベース本体の一部に開口部と、前記開口部に、前記ベース本体よりも板厚の薄いプレートを取り付けることで形成された前記ベース本体の前記蓋体側表面よりも凹んだ空間と、前記空間の上方位置を、前記ディスクを引き込むレバーの動作範囲としたことを特徴とする。
請求項２記載の本発明は、請求項１に記載のスロットイン型ディスク装置において、前記ベース本体を構成している深底部と浅底部と、前記浅底部によって形成されたフロント面からリア面に至るウイング部と、前記空間を前記ウイング部に設けたことを特徴とする。
請求項３記載の本発明のスロットイン型ディスク装置は、シャーシ外装を構成しているベース本体と蓋体と、前記ベース本体を構成している深底部と浅底部と、前記浅底部によって形成されたフロント面からリア面に至るウイング部と、前記シャーシ外装のフロント面にディスクを直接挿入するディスク挿入口と、を備えたスロットイン型ディスク装置において、前記ウイング部の一部に開口部と、前記開口部に、前記ウイング部よりも板厚の薄いプレートを取り付けることで形成された前記ウイング部の前記蓋体側表面よりも凹んだ空間と、前記ウイング部には、引き込みレバーと、前記引き込みレバーはサブレバーによって動作し、前記空間の上方位置を、前記サブレバーの動作範囲としたことを特徴とする。
請求項４記載の本発明は、請求項３に記載のスロットイン型ディスク装置において、前記サブレバーの一端に凸部を、他端側に回動支点をそれぞれ備え、前記回動支点を前記深底部上に配置し、前記凸部を前記引き込みレバーの長溝内で摺動させ、前記凸部を前記サブレバーの前記蓋体側の面に、前記長溝を前記引き込みレバーの前記ベース本体側の面にそれぞれ配置したことを特徴とする。
請求項５記載の本発明は、請求項４に記載のスロットイン型ディスク装置において、前記空間は、前記凸部の移動軌跡を弧側とする扇形に形成したことを特徴とする。
【手続補正３】
【補正対象書類名】明細書
【補正対象項目名】０００７
【補正方法】変更
【補正の内容】
【０００７】
本発明の第１の実施の形態によるスロットイン型ディスク装置は、ベース本体の一部に開口部と、開口部に、ベース本体よりも板厚の薄いプレートを取り付けることで形成されたベース本体の蓋体側表面よりも凹んだ空間と、空間の上方位置を、ディスクを引き込むレバーの動作範囲としたものである。本実施の形態によれば、レバーの板厚を十分に確保するとともに、プレートを取り付けることで形成した空間によってレバーの動作のための隙間を確保することで、装置の薄型化を図ることができる。
本発明の第２の実施の形態は、第１の実施の形態によるスロットイン型ディスク装置において、ベース本体を構成している深底部と浅底部と、浅底部によって形成されたフロント面からリア面に至るウイング部と、空間をウイング部に設けたものである。本実施の形態によれば、ウイング部の薄型化を図ることができる。
本発明の第３の実施の形態によるスロットイン型ディスク装置は、ウイング部の一部に開口部と、開口部に、ウイング部よりも板厚の薄いプレートを取り付けることで形成されたウイング部の蓋体側表面よりも凹んだ空間と、ウイング部には、引き込みレバーと、引き込みレバーはサブレバーによって動作し、空間の上方位置を、サブレバーの動作範囲としたものである。本実施の形態によれば、レバーの板厚を十分に確保するとともに、サブレバーと再生時のディスクとの隙間を確保することで、ディスクがサブレバ−に接触することを防止することができ、装置の薄型化を図ることができる。また、本実施の形態のように引き込みレバーよりもサブレバーをベース本体側に配置することで、引き込みレバーをベース本体から離間させることができる。従って、ディスクを支持する引き込みレバーとベース本体との距離を確保できるため、挿入時のディスクが装置に接触することを防止することができる。
本発明の第４の実施の形態は、第３の実施の形態によるスロットイン型ディスク装置において、サブレバーの一端に凸部を、他端側に回動支点をそれぞれ備え、回動支点を深底部上に配置し、凸部を引き込みレバーの長溝内で摺動させ、凸部をサブレバーの蓋体側の面に、長溝を引き込みレバーのベース本体側の面にそれぞれ配置したものである。本実施の形態によれば、サブレバーは引き込みレバーよりもベース本体側に配置されるため、サブレバーは空間によってスムーズな動作を確保することができる。
本発明の第５の実施の形態は、第４の実施の形態によるスロットイン型ディスク装置において、空間は、凸部の移動軌跡を弧側とする扇形に形成したものである。本実施の形態によれば、ウイング部の強度に影響を与えないように空間部を形成することができる。
【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
医療機関，ＰＥＴシステムの賃貸事業者及びＰＥＴ検診事業支援事業者の処理装置のいずれかと通信回線を介して接続され、機器メーカの処理装置と通信回線を介して接続される仲介業者の処理装置が、
ＰＥＴシステムに用いられる機器を製造する機器メーカから機器の保守に関する保守情報を収集して記憶手段に記憶させると共に、
ＰＥＴシステムを有する医療機関，ＰＥＴシステムの賃貸事業者及びＰＥＴ検診事業支援事業者のいずれかからＰＥＴシステムを構成する機器を特定する機器特定情報を受け、
前記機器特定情報と前記記憶手段に記憶された保守情報とに基づいて前記ＰＥＴシステムの保守時期を決定し、
前記決定した保守時期を前記医療機関、前記賃貸事業者及び前記ＰＥＴ検診事業支援事業者のいずれかに提示することを特徴とするＰＥＴシステム保守支援方法。
【請求項２】
仲介業者の処理装置が、前記保守時期は、保守及び修理にかかる費用が最も小さくなると予想される時期とし、前記医療機関、前記賃貸事業者及び前記ＰＥＴ検診事業支援事業者のいずれかに保守時期を提示する際に予想される費用も提示することを特徴とする請求項１記載のＰＥＴシステム保守支援方法。
【手続補正書】
【提出日】平成20年10月28日(2008.10.28)
【手続補正１】
【補正対象書類名】明細書
【補正対象項目名】００３４
【補正方法】変更
【補正の内容】
【００３４】
ステップＳ２において、画像抽出部７４は、二値化された画像１００から１文字以上の文字列７０を含むと想定される領域画像７２を抽出する。この抽出処理は、例えば、走行方向の走行路面８４上の文字標識について抽出するように、画像１００の中の固定の領域として領域画像７２を抽出する。すなわち、図２に示すように、遠近を考慮しながら走行路面を含むように、手前側が広く、消失点（地平線を示す線上で、カメラの真正面の点）２００を頂点とするような三角形２０２とすればよい。また、交差点に差し掛かっていると認識できる場合には、消失点は交差点の先に存在することになり、三角形の頂部を省略した台形としてもよい。さらに、左側走行の国である場合には右側走行路は考慮する必要がないため、図２に示すように、やや左寄りの形状としてもよい。さらにまた、遠方の文字列が認識できない場合に備えて、領域画像７２は、画像１００の下側までカバーするように設定するとよい。
【手続補正２】
【補正対象書類名】明細書
【補正対象項目名】００４０
【補正方法】変更
【補正の内容】
【００４０】
文字標識から車両１２までの距離によって撮像される文字標識の大きさは異なるため、対応するテンプレート８０ａ〜８０ｄの大きさも適度に拡大又は縮小して用いるとよい。また、予め大きさの異なる複数のテンプレートを用意しておいてもよい。
【手続補正書】
【提出日】平成20年9月29日(2008.9.29)
【手続補正１】
【補正対象書類名】明細書
【補正対象項目名】００４３
【補正方法】変更
【補正の内容】
【００４３】
ＩＥＥＥ１３９４インタフェース部２２を介して外部機器から出力開始を指示する制御コマンドを受け付けたときにのみ（ステップＳ２２：ＹＥＳ）、制御部２６は、ＩＥＥＥ１３９４インタフェース部２２からの音声信号出力を可能とし、他のインタフェースからの音声信号出力を不可にするよう制御する（ステップＳ２３）。次いで、制御部２６は、再生部１２等を制御してＩＥＥＥ１３９４インタフェース部２２からの音声信号出力を開始する（ステップＳ２４）。その後、再生すべきデータが終了した場合等には、出力を停止し（ステップＳ２５）、再び、ＩＥＥＥ１３９４インタフェース部２２からの音声信号出力を不可に設定する（ステップＳ２１）。
【手続補正書】
【提出日】平成20年5月30日(2008.5.30)
【手続補正１】
【補正対象書類名】明細書
【補正対象項目名】００１７
【補正方法】変更
【補正の内容】
【００１７】
次に凍結真空乾燥に際しては、水分とともに不純分が残留することなく除去し得る条件を選ぶことが重要である。そのためには、圧力５０Ｐａ以下、−６０℃ないし＋９０℃の温度において、温度を段階的に上げながら１０〜６０時間の範囲で制御して行うのが好ましい。
【手続補正２】
【補正対象書類名】明細書
【補正対象項目名】００１８
【補正方法】変更
【補正の内容】
【００１８】
例えば、前記したように摩砕物を−１８℃ないし−３５℃の温度で２０〜２４０時間を要して凍結したのち、−６０℃〜＋９０℃の温度において、数段階に分け昇温し、４〜８０Ｐａの圧力において、数段階に分け減圧しながら、１０〜６０時間凍結真空乾燥させることで無菌状態の淡黄色ミミズ乾燥粉末を得ることができる。
【手続補正３】
【補正対象書類名】明細書
【補正対象項目名】００２３
【補正方法】変更
【補正の内容】
【００２３】
水洗により皮ふ表面に付着した汚物を除去した生のアカミミズ３０ｋｇを平皿に約５ｃｍの厚さに拡げ、この上にクエン酸２５０ｇを均一に振りかけたのち、１５秒で純水３０リットルを加えて希釈した。この際の水を加えた直後のｐＨは２．２５であり、完全に希釈したときのｐＨは２．７４であった。この水による希釈は迅速に行う必要があり、時間が長くかかるとミミズは死滅する。
次に、この希釈したクエン酸中に浸したミミズを２０℃において６０分間放置すると、ミミズは不快生活環境を緩和しようとして、体液を消化管内の消化物とともに体外に排泄するが、この際に悪臭の原因となるアンモニアや人体に対する有害なヒ素も随伴して排泄される。
次いで、汚れたクエン酸水溶液から生ミミズを取り出し、水洗したのち、ホモジナイザーを用いて１０℃において摩砕し、ミミズペーストを調製する。次に、この摩砕物を吸引脱気して、その中に含まれているガスを除いたのち、ステンレス鋼製トレーに移し、瞬間的に−３０℃まで急冷し、この温度に５０時間維持して徐々に凍結する。
このようにして凍結したミミズペーストを−３０℃で圧力５Ｐａに減圧して１０時間保ったのち、温度を２０℃まで昇温し、圧力１０Ｐａで１０時間、次いで４０℃で１０時間乾燥し、最後に温度を８０℃とし、圧力５Ｐａにおいて５時間保つことにより真空凍結乾燥を完了した。この処理により含水量８質量％の淡黄色ミミズ乾燥粉末を得た。このもののアミノ酸含有量を表１に示す。
【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
全塗料に基づいて、有機ケイ素化合物を５〜４０質量％と、有機チタネート化合物０．０５〜２質量％と、亜鉛粉末、亜鉛合金粉末およびアルミニウム粉末から選ばれた金属粉末２０〜６０質量％と、有機溶剤１０〜６０質量％とを含有することを特徴とする防錆塗料。
【請求項２】
前記有機ケイ素化合物は、炭素数が３以下のアルキル基を有するテトラアルキルシリケート化合物およびそのオリゴマーからなる群から選ばれた１種以上の化合物である請求項１に記載の防錆塗料。
【請求項３】
前記有機チタネート化合物は一般式Ｔｉ(Ｘ)４で表される有機化合物およびそのオリゴマーであって、Ｘは、メトキシ、エトキシ、プロポキシ、イソプロポキシ、ブトキシ、イソブトキシ、およびｔｅｒｔ−ブトキシの炭素数４以下のアルコキシ基、ラクテート、トリエタノールアミネート、アセチルセトネート、アセトアセテート、およびエチルアセトアセテートを含むキレート性置換基、ならびに水酸基からなる群から選ばれた１種以上の官能基である請求項１または２記載の防錆塗料。
【請求項４】
前記金属粉末は鱗片状である請求項１から３のいずれかに記載の防錆塗料。
【手続補正２】
【補正対象書類名】明細書
【補正対象項目名】００１３
【補正方法】変更
【補正の内容】
【００１３】
ここに、本発明は、全塗料に基づいて、有機ケイ素化合物を５〜４０質量％と、有機チタネート化合物０．０５〜２質量％と、亜鉛粉末、亜鉛合金粉末およびアルミニウム粉末から選ばれた金属粉末２０〜６０質量％と、有機溶剤１０〜６０質量％とを含有することを特徴とする防錆塗料である。
【手続補正３】
【補正対象書類名】明細書
【補正対象項目名】００３１
【補正方法】変更
【補正の内容】
【００３１】
鱗片形状の金属粉末の平均厚さが皮膜の平均厚さの１／２００〜１／２であって、かつ金属粉末の長径（鱗片形状の最長部分の長さ）の平均値が、金属粉末の平均厚さに対して１／２０〜１０倍であることが好ましい。たとえば、皮膜が１０μｍ程度の場合には、鱗片形状の金属粉末の平均厚さは０．０５〜５μｍであって、長径の平均値は０．５〜１００μｍであることが好ましい。
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
遊技領域を有する遊技盤と、その遊技盤の前面側に設けられ且つ前記遊技領域を外部から視認させる窓が形成された窓枠とを備えた遊技機であって、
画面表示可能な表示装置が、前記窓の近傍且つ前方にて前記遊技領域の外縁部の少なくとも一部と正面視で重なるように配設され、
前記遊技領域前方の遊技者視点と前記表示装置の端縁上の任意の点とを結ぶ第一の直線が水平線に対してなす第一の角度が、前記遊技者視点と前記第一の直線を含み且つ前記遊技領域の表面に対して垂直な平面による断面における前記遊技領域の端縁上の点とを結ぶ第二の直線が水平線に対してなす第二の角度以上であることを特徴とする遊技機。
【請求項２】
前記第一の角度と前記第二の角度との角度差が２０度未満であることを特徴とする請求項１に記載の遊技機。
【請求項３】
前記第一の角度と前記第二の角度との角度差が５度以上１５度未満であることを特徴とする請求項２に記載の遊技機。
【請求項４】
前記遊技者視点は、前記遊技領域の表面から４００ｍｍ〜６００ｍｍ前方且つ前記遊技領域の最上部から５０ｍｍ〜１５０ｍｍ下方の範囲内であることを特徴とする請求項１乃至３のいずれか１つに記載の遊技機。
【請求項５】
前記表示装置と前記遊技領域表面との距離が５０ｍｍ以上４００ｍｍ未満であることを特徴とする請求項１乃至４のいずれか１つに記載の遊技機。
【請求項６】
前記表示装置と前記遊技領域表面との距離が１００ｍｍ以上３００ｍｍ未満であることを特徴とする請求項５に記載の遊技機。
【請求項７】
前記遊技機は、パチンコ遊技機であることを特徴とする請求項１乃至６のいずれか１つに記載の遊技機。
【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
人間の言葉を認識する音声認識部と、音声合成によって人間が理解できる言葉を発声する発話部と、フロア内を自律的に移動する移動機構部と、物体をハンドリングするマニピュレータと、外部サーバと通信する外部通信部とを備えた移動ロボットと、
エレベータを制御するエレベータ制御サーバと、
来客の入出を検出する来客検出装置と、
前記来客検出装置に接続して前記来客検出装置を制御する来客検出サーバ
から構成されたことを特徴とする受付案内システム。
【請求項２】
前記移動ロボットは複数配置され、各々の前記外部通信部を介して互いに通信可能としたことを特徴とする請求項１記載の受付案内システム。
【請求項３】
前記複数の移動ロボットは、
前記来客検出装置により検出された来客入出情報をもとに来客の応対を実行する受付ロボットと、
前記受付ロボットの指示で来客に荷物を運ぶ配達ロボットと、
前記受付ロボットの指示で来客を予め指定された場所へ案内する案内ロボットとに
分類された役割を持つことを特徴とする請求項２記載の受付案内システム。
【請求項４】
前記複数の移動ロボットは、前記外部通信部を介して各々の役割を認識したり、前記役割を切り替えたりすることを特徴とする請求項３記載の受付案内システム。
【請求項５】
前記移動ロボットは、前記外部通信部を介して前記エレベータ制御サーバへ指令を送信して前記エレベータを制御し、前記エレベータに搭乗してフロア間を移動することを特徴とする請求項１乃至４のいずれか１項に記載の受付案内システム。
【請求項６】
前記来客検出サーバは、前記来客検出装置が検出した情報を一時記憶する一時記憶部と、人間が入館したのか退館したのか、または通過しただけなのかを判断する来客行動判断部とからなり、来客の入退館情報のみを前記移動ロボットへ送信することを特徴とする請求項１記載の受付案内システム。
【請求項７】
前記エレベータ制御サーバは、前記移動ロボットから送られた要求に対して優先順位を設定し、前記優先順位の順番に従って前記エレベータを動作させることを特徴とする請求項１乃至５のいずれか１項に記載の受付案内システム。
【手続補正２】
【補正対象書類名】明細書
【補正対象項目名】０００９
【補正方法】変更
【補正の内容】
【０００９】
上記問題を解決するため、本発明は、次のように構成したのである。
請求項１に記載の発明は、受付案内システムであって、人間の言葉を認識する音声認識部と、音声合成によって人間が理解できる言葉を発声する発話部と、フロア内を自律的に移動する移動機構部と、物体をハンドリングするマニピュレータと、外部サーバと通信する外部通信部とを備えた移動ロボットと、エレベータを制御するエレベータ制御サーバと、来客の入出を検出する来客検出装置と、前記来客検出装置に接続して前記来客検出装置を制御する来客検出サーバから構成されたことを特徴とする。
請求項２に記載の発明は、前記移動ロボットは複数配置され、各々の前記外部通信部を介して互いに通信可能としたことを特徴とする。
請求項３に記載の発明は、前記複数の移動ロボットは、前記来客検出装置により検出された来客入出情報をもとに来客の応対を実行する受付ロボットと、前記受付ロボットの指示で来客に荷物を運ぶ配達ロボットと、前記受付ロボットの指示で来客を予め指定された場所へ案内する案内ロボットとに分類された役割を持つことを特徴とする。
請求項４に記載の発明は、前記複数の移動ロボットは、前記外部通信部を介して各々の役割を認識したり、前記役割を切り替えたりすることを特徴とする。
請求項５に記載の発明は、前記移動ロボットは、前記外部通信部を介して前記エレベータ制御サーバへ指令を送信して前記エレベータを制御し、前記エレベータに搭乗してフロア間を移動することを特徴とする。
請求項６に記載の発明は、前記来客検出サーバは、前記来客検出装置が検出した情報を一時記憶する一時記憶部と、人間が入館したのか退館したのか、または通過しただけなのかを判断する来客行動判断部とからなり、来客の入退館情報のみを前記移動ロボットへ送信することを特徴とする。
請求項７に記載の発明は、前記エレベータ制御サーバは、前記移動ロボットから送られた要求に対して優先順位を設定し、前記優先順位の順番に従って前記エレベータを動作させることを特徴とする。
【手続補正３】
【補正対象書類名】図面
【補正対象項目名】図２
【補正方法】変更
【補正の内容】
【図２】
2006198730.tif 000001
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
紙載置台２と、
前記紙載置台２の端部に配され、表面側を前記紙載置台２の上面と略面一にし、裏面側に案内レール４を設けた直線状の長尺な固定刃５と、
前記案内レール４に沿って摺動するスライダ８と、
前記固定刃５に接しながら摺動し、回転軸を前記固定刃５の表面よりも上方側に配した回転丸刃６と、
前記回転丸刃６を回転自在に支持する回転刃ホルダー７と、
前記固定刃５を跨ぎ前記スライダ８に取り付けたアーム９と、
前記アーム９に設けた手動部１２と、
前記固定刃５の長尺方向と略平行に配設され、前記固定刃５の表面に対して接離可能に配された紙押え板１０と、
前記アーム９に設けられ、前記紙押え板１０を前記固定刃１０方向に押圧する紙押え押圧部１５と、
を備え、
前記回転刃ホルダー７が、前記固定刃５を跨いで前記スライダ８に取り付けられ、
前記手動部１２を水平方向に押圧することで、前記回転丸刃６が前記固定刃５に接しながら同固定刃５に沿って摺動され、前記紙押え板１０と前記固定刃５との間で挟持された切断紙を裁断する紙裁断機において、
前記紙押え板１０を前記固定刃５方向に押圧する押圧ローラ１６を、前記回転丸刃６を切断方向に摺動させたときの前記回転丸刃６と前記固定刃５との切断位置よりも前記回転丸刃６の摺動方向前方に配設すると共に、板バネ１７により前記紙押え板１０側に付勢させたことを特徴とする紙裁断機。
【請求項２】
前記紙載置台２が、補助紙載置台２２を有し、同補助紙載置台２２の未使用時には同補助紙載置台２２が前記紙載置台２内に収納されてなることを特徴とする請求項１に記載の紙裁断機。
【請求項３】
前記案内レール４の下部にダストトレイ２５が形成されてなることを特徴とする請求項１又は請求項２に記載の紙裁断機。
【請求項４】
前記スライダ８が、前記案内レール４の片側に設けた定荷重バネ２７に連結し、前記スライダ８が、前記定荷重バネ２７により前記回転丸刃６の切断方向とは逆方向に戻るよう付勢されてなることを特徴とする請求項１〜３のいずれかに記載の紙裁断機。
【手続補正２】
【補正対象書類名】明細書
【補正対象項目名】００１１
【補正方法】変更
【補正の内容】
【００１１】
本願発明の課題は、以下の各発明により達成することができる。
即ち、紙載置台と、前記紙載置台の端部に配され、表面側を前記紙載置台の上面と略面一にし、裏面側に案内レールを設けた直線状の長尺な固定刃と、前記案内レールに沿って摺動するスライダと、前記固定刃に接しながら摺動し、回転軸を前記固定刃の表面よりも上方側に配した回転丸刃と、前記回転丸刃を回転自在に支持する回転刃ホルダーと、前記固定刃を跨ぎ前記スライダに取り付けたアームと、前記アームに設けた手動部と、前記固定刃の長尺方向と略平行に配設され、前記固定刃の表面に対して接離可能に配された紙押え板と、前記アームに設けられ、前記紙押え板を前記固定刃方向に押圧する紙押え押圧部と、を備え、前記回転刃ホルダーが、前記固定刃を跨いで前記スライダに取り付けられ、前記手動部を水平方向に押圧することで、前記回転丸刃が前記固定刃に接しながら同固定刃に沿って摺動され、前記紙押え板と前記固定刃との間で挟持された切断紙を裁断する紙裁断機において、前記紙押え板を前記固定刃方向に押圧する押圧ローラを、前記回転丸刃を切断方向に摺動させたときの前記回転丸刃と前記固定刃との切断位置よりも前記回転丸刃の摺動方向前方に配設すると共に、板バネにより前記紙押え板側に付勢させたことを、最も主要な特徴となしている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
なお、アームに切断された切断片を外部にガイドする傾斜部を形成してもよい。
更に、紙載置台に収納可能な補助紙載置台を設けてもよいし、ダストトレイを案内レールの下部に形成してもよい。
【手続補正５】
【補正対象書類名】明細書
【補正対象項目名】００１４
【補正方法】変更
【補正の内容】
【００１４】
更にまた、切断紙の片側端縁の位置を規制するガイド片の構成を特定してもよい。
また、スライダの戻り機構を設けてもよい。
更に、紙押え板に目盛りを形成してもよい。
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
合成樹脂素材からなる上ケース及び下ケースに囲まれた領域にヒーターを設け、前記上ケースと下ケースとの接合部を溶着して一体化させた便座装置において、前記上ケース又は下ケースのいずれか一方の接合部に、光エネルギー吸収性材料による部材からなる溶着部を一体化させてなり、他方を光エネルギー透過性材料で構成し、前記光エネルギー透過性材料を介して前記光エネルギー吸収性材料に光エネルギーを供給して加熱することにより、前記上ケースと前記下ケースを溶着したことを特徴とする便座装置。
【請求項２】
前記溶着部は、２色成形によって上ケース又は下ケースと一体化させたことを特徴とする請求項１記載の便座装置。
【請求項３】
前記溶着部を、カーボンブラック粒を１〜９０ｗｔ％の割合で混入させた合成樹脂部材としたことを特徴とする請求項１又は２記載の便座装置。
【手続補正２】
【補正対象書類名】明細書
【補正対象項目名】０００８
【補正方法】変更
【補正の内容】
【０００８】
上記課題を解決するために、請求項１記載の発明は、合成樹脂素材からなる上ケース及び下ケースに囲まれた領域にヒーターを設け、前記上ケースと下ケースとの接合部を溶着して一体化させた便座装置において、前記上ケース又は下ケースのいずれか一方の接合部に、光エネルギー吸収性材料による部材からなる溶着部を一体化させてなり、他方を光エネルギー透過性材料で構成し、前記光エネルギー透過性材料を介して前記光エネルギー吸収性材料に光エネルギーを供給して加熱することにより、前記上ケースと前記下ケースを溶着したことを特徴としている。
こうすることで、受け側部材は、部材全てが黒色である必要がなく、所望の接合部位のみに最も吸収率が高い黒色部を配せばよいので、色調選択の自由度が上がる。
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
Ｘ線を照射するＸ線源と、
被検体をはさんで前記Ｘ線源に対向して配置され、前記被検体を透過したＸ線を検出してＸ線透過データを出力するＸ線検出器と、
前記Ｘ線源及び前記Ｘ線検出器を搭載して回転可能な回転手段と、
前記回転手段により前記Ｘ線源及び前記Ｘ線検出器を回転させて前記Ｘ線透過データを取得する撮影である計測撮影によって得られたＸ線透過データに基づいて被検体の断層像を生成する画像処理手段と、
前記断層像を表示する表示手段と、
を備えたＸ線ＣＴ装置において、
前記被検体のＸ線減弱パターンを示す基準Ｘ線プロファイルであって、予め取得された基準Ｘ線プロファイルを記憶する記憶手段と、
前記記憶手段に記憶された基準Ｘ線プロファイルと、前記計測撮影中に前記画像処理手段において生成された被検体Ｘ線プロファイルであって、前記計測撮影においてＸ線が照射された部位のＸ線減弱パターンを示す被検体Ｘ線プロファイルと、の比較結果に基づいて、前記計測撮影を終了する位置を決定する終了位置決定手段と、
を備えることを特徴とするＸ線ＣＴ装置。
【請求項２】
前記画像処理手段は、前記スキャノグラム撮影により得られるＸ線透過データに基づいて基準Ｘ線プロファイルを生成し、
前記記憶手段は、前記画像処理手段により生成された前記基準Ｘ線プロファイルを記憶する、
ことを特徴とする請求項１に記載のＸ線ＣＴ装置。
【請求項３】
スキャノグラム撮影により得られるＸ線透過データに基づいて計測範囲を作成するためのスキャノグラム計画手段と、
前記被検体の体軸方向又は体軸方向に直交する方向に平行なプロファイルラインを少なくとも一つ設定する手段を更に備え、
前記画像処理手段は、前記スキャノグラム撮影により得られるＸ線透過データに基づいて前記プロファイルラインに沿った基準Ｘ線プロファイルを生成するとともに、前記計測撮影により得られるＸ線透過データに基づいて前記プロファイルラインに沿った被検体Ｘ線プロファイルを生成し、
前記記憶手段は、前記プロファイルラインに沿った基準Ｘ線プロファイルを生成し、
前記終了位置決定手段は、前記被検体Ｘ線プロファイルに、前記計測範囲において終了位置として設定された部位に該当する前記基準Ｘ線プロファイルの特徴量が検出されるか否かに基づいて前記計測撮影を終了する位置を決定する、
ことを特徴とする請求項１又は２に記載のＸ線ＣＴ装置。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
複数種類の識別情報を変動表示する表示装置と、表示装置における表示演出の態様がそれぞれ異なる複数の遊技演出モードの何れかを手動入力操作により選択変更する演出モード変更入力手段と、遊技の進行を統括する主制御装置からの演出制御コマンドを受信して、選択された演出モードで演出制御コマンドに応じた変動パターンにより表示演出を実行する副制御装置とを有する遊技機において、
前記副制御装置は、
現在設定されている遊技演出モードを記憶する遊技演出モード記憶手段と、
前記複数の遊技演出モード毎に設けられ、演出制御コマンドに対応した変動パターンが予め記憶されている変動パターン記憶手段と、
前記遊技演出モード記憶手段から現在設定されている演出モードを読出し、その読出された演出モードと演出制御コマンドとで決定される変動パターンを、前記変動パターン記憶手段から読出して、その変動パターンで表示演出を実行する遊技演出モード実行手段と、
前記演出モード変更入力手段からの変更入力に応じて、前記遊技演出モード記憶手段の記憶内容を変更する演出モード変更切換手段と、
少なくとも変動表示中のいずれかの期間において、前記演出モード変更切換手段を能動化する演出モード変更切換制御手段と、
を備え、
遊技演出モードの変更入力があった場合、前記遊技演出モード実行手段は、遊技演出モード記憶手段から変更後の演出モードを読出し、現在表示中の演出モードから該変更後の演出モードに切換えて表示演出を実行することを特徴とする遊技機。
【請求項２】
前記副制御装置は、変動開始からの経過時間を計測に対応して更新するタイマを備え、
前記遊技演出モード実行手段は、
遊技演出モードの変更入力があった場合、前記タイマの計測結果に基づいて、変更後の演出モードに関する変動表示期間全体の変動パターン画像のうち、変動開始から既に経過した時間以降の変動パターン画像を形成して表示演出を実行する画像形成手段を備えていることを特徴とする請求項１記載の遊技機。
【請求項３】
前記表示装置における変動表示は、複数種類の識別情報を連ねて構成される複数の識別情報列を変動表示するものであり、
前記副制御装置は、
複数の識別情報列のうち最初に停止する識別情報列の変動表示が高速変動から低速変動に変化するまでの期間、又は複数の識別情報列のうち最初に停止する識別情報列が停止するまでの期間、又は識別情報によってリーチ状態が出現するまでの期間を記憶する記憶手段と、
前記タイマにより計測される変動開始からの経過時間が、前記記憶手段に記憶されている該期間を経過したか否かを判断する判断手段と、
前記判断手段の判断結果に基づいて、変動開始からの経過時間が前記記憶手段に記憶されている該期間を経過した場合には、該期間経過後変動終了まで前記演出モード変更切換手段を能動化しない手段と、
を備えていることを特徴とする請求項２記載の遊技機。
【請求項４】
前記遊技演出モードは、遊技者が所定の入力操作を行うことにより、表示演出が発展実行される遊技者参加型モードと、所定のキャラクタが順次出現する態様によって大当たり状態の可能性が大きいことを予告する段階的予告モードとを有していることを特徴とする請求項１〜３のいずれかに記載の遊技機。
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
遊技領域を有する遊技盤と、その遊技盤の前面側に設けられ且つ前記遊技領域を外部から視認させる窓が形成された窓枠とを備えた遊技機であって、
前記窓の近傍且つ前方に画面表示可能な表示装置が設けられ、
前記遊技領域の中心点を含み且つ前記遊技領域の表面に対して垂直な少なくとも一つの平面による断面において前記表示装置の端縁と前記遊技領域の端縁とを結ぶ直線が前記遊技領域表面に対してなす第一の角度が９０度未満であり、且つ前記表示装置が前記直線に対してなす第二の角度が９０度以上であることを特徴とする遊技機。
【請求項２】
前記第二の角度が１３５度未満であることを特徴とする請求項１に記載の遊技機。
【請求項３】
前記第一の角度が４５度以上であることを特徴とする請求項１又は２に記載の遊技機。
【請求項４】
前記表示装置の傾斜角度を変更可能に構成されたことを特徴とする請求項１乃至３のいずれか１つに記載の遊技機。
【請求項５】
前記表示装置と前記遊技領域表面との距離が５０ｍｍ以上４００ｍｍ未満であることを特徴とする請求項１乃至４のいずれか１つに記載の遊技機。
【請求項６】
前記表示装置と前記遊技領域表面との距離が１００ｍｍ以上３００ｍｍ未満であることを特徴とする請求項５に記載の遊技機。
【請求項７】
前記遊技機は、パチンコ遊技機であることを特徴とする請求項１乃至６のいずれか１つに記載の遊技機。
【手続補正書】
【提出日】平成20年1月11日(2008.1.11)
【手続補正１】
【補正対象書類名】特許請求の範囲
【補正対象項目名】請求項５
【補正方法】変更
【補正の内容】
【請求項５】
機能水選択スイッチを飲用水選択スイッチの配設領域の列方向と直交する領域を避けた位置に配設することを特徴とする請求項１ないし４に記載のイオン整水器。
【手続補正２】
【補正対象書類名】特許請求の範囲
【補正対象項目名】請求項１４
【補正方法】変更
【補正の内容】
【請求項１４】
機能水選択スイッチには、強アルカリ選択スイッチが含まれており、機能水選択スイッチのうち、強アルカリ選択スイッチを飲用水選択スイッチの配設領域に最も近くに配設することを特徴とする請求項１ないし１３のいずれかに記載のイオン整水器。
【手続補正３】
【補正対象書類名】明細書
【補正対象項目名】発明の名称
【補正方法】変更
【補正の内容】
【発明の名称】イオン整水器
【手続補正４】
【補正対象書類名】明細書
【補正対象項目名】００３９
【補正方法】変更
【補正の内容】
【００３９】
図１に示すように、操作部９０が本イオン整水器の前面側に配設されている。また、図２に示すように、使用者が操作可能なスイッチとして、飲用水選択スイッチ９１、機能水選択スイッチ９２、電源スイッチ９３、ＯＲＰ表示スイッチ９４、通水量表示スイッチ９５、浄水選択スイッチ９９がある。飲用水選択スイッチ９１は、第１レベルのアルカリ水選択スイッチ９１ａ、第２レベルのアルカリ水選択スイッチ９１ｂ、第３レベルのアルカリ水選択スイッチ９１ｃから成り、機能水選択スイッチ９２は、強アルカリ水選択スイッチ９２ａ、弱酸性水選択スイッチ９２ｂ、強酸性水選択スイッチ９２ｃ、衛生水選択スイッチ９２ｄから成る。なお、本発明でいう飲用水とは、電解処理を行うことによって生成される飲用に適した水のことを指しており、飲用することで人体に対し効果・効能を発揮する水のことである。また、本発明でいう機能水とは、飲用以外の用途に使用する目的で電解処理が行われる水のことである。したがって、アルカリ水であっても強アルカリ水のように煮物やアク抜きのような飲用以外の用途にのみ利用される水の場合、飲用水とは言わない。また、上浄水カートリッジ交換時期ランプ、下浄水カートリッジ交換時期ランプ、寿命設定上スイッチ、寿命設定下スイッチ、リセットスイッチも有する。また、ペーハー（ｐＨ）、ＯＲＰ、通水量などの情報を表示する、例えば７セグメントＬＥＤから成るディスプレイ９６をも備える。ディスプレイ９６には、洗浄状態の時に点灯し洗浄完了後に排水を継続して行っている時も点灯する洗浄中ランプ９６ａ、すすぎ状態の時に点灯するすすぎランプ９６ｂ、電解槽１０内の温度異常が生じた場合に点灯する温度異常ランプ９６ｃが配設されている。電源スイッチ９３は、本イオン整水器を起動させるためのスイッチであり、どのような状態であっても有効なスイッチである。電源スイッチ９３を押下しても、排水処理など処理が途中であるものが終了していない場合は、それらの処理が終了して電源が落ちるようにすることが好ましい。ＯＲＰ表示スイッチ９４は、ディスプレイ９６に現在の水のＯＲＰを表示させるためのスイッチである。通水量表示スイッチ９５は、ディスプレイ９６に現在の水の通水量を表示させるためのスイッチである。
【手続補正５】
【補正対象書類名】明細書
【補正対象項目名】００６７
【補正方法】変更
【補正の内容】
【００６７】
本実施形態に係るイオン整水器においては、洗浄状態で電源を切った場合、次に電源を入れたとき、最後に使用した第１レベルから第３レベルのアルカリ水（例えば、第３レベルのアルカリ水）になる。これにより、誤って酸性水や強アルカリ水を飲むことを防止することができる。
【手続補正６】
【補正対象書類名】明細書
【補正対象項目名】００９９
【補正方法】変更
【補正の内容】
【００９９】
実施例では、飲用水選択スイッチ９１は３つ、機能水選択スイッチ９２は４つの計７つのスイッチが配設されているが、これに限らない。また、飲用水選択スイッチ９１および機能水選択スイッチ９２の色・大きさ・形は、図示例とは限らず、一つ一つ異ならせても良いし、全て同じであっても良い。
【手続補正７】
【補正対象書類名】図面
【補正対象項目名】図１２
【補正方法】変更
【補正の内容】
【図１２】
2006198500.tif 000001
【手続補正８】
【補正対象書類名】図面
【補正対象項目名】図１３
【補正方法】変更
【補正の内容】
【図１３】
2006198500.tif 000002
【手続補正書】
【提出日】平成20年1月18日(2008.1.18)
【手続補正１】
【補正対象書類名】特許請求の範囲
【補正対象項目名】請求項１
【補正方法】変更
【補正の内容】
【請求項１】
ひだ折り加工された集塵フィルタと、この集塵フィルタのひだ折り方向と直交する両側面に設けた主弾性体と、この主弾性体を介して一対の補強体を付設したフィルタユニットと、このフィルタユニットを着脱可能に収納する収納枠とを備え、前記補強体は前記主弾性体の厚み方向を除く一面に接合され、前記収納枠には前記フィルタユニットの収納部と、この収納部の前後に押え部とを突設したフィルタ収納装置。
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
通液流路に設置される金属繊維不織布焼結体からなるフィルターにおいて、
前記フィルターの最外部及びその最外部近傍にある金属繊維の表面に付着する付着物を、金属繊維の表面層と共に除去したことを特徴とするフィルター。
【請求項２】
前記付着物が、前記フィルターを構成する金属繊維とは異なる金属或いは異なる金属酸化物であることを特徴とする請求項１に記載のフィルター。
【請求項３】
電解質水溶液に前記フィルターを接触させながら当該フィルターを陽極とする電解研磨により、前記付着物を前記金属繊維の表面層と共に除去することを特徴とする請求項１または２に記載のフィルター。
【請求項４】
前記金属繊維が、オーステナイト系ステンレスよりなる金属繊維であることを特徴とする請求項１ないし３のいずれかに記載のフィルター。
【請求項５】
前記フィルターが、ウェブ状の金属繊維シートを積層し、真空加熱炉中にて焼結して繊維どうしの接点で金属を原子拡散接合させた後、加圧プレスして得られるシートを電解研磨したものであることを特徴とする請求項１ないし４のいずれかに記載のフィルター。
【請求項６】
前記フィルターが、中心部の平均線径の細いウェブ状の金属繊維シートを、これよりも平均線径の太いウェブ状の金属繊維シートで挟み込み、焼結・加圧プレスした後、電解研磨したものであることを特徴とする請求項１ないし５のいずれかに記載のフィルター。
【請求項７】
前記フィルターが、金属繊維表面近傍に存在する結晶粒界を、電解研磨により前記付着物と共に除去したことを特徴とする請求項１ないし６のいずれかに記載のフィルター。
【請求項８】
前記フィルターは、電解研磨を施した金属繊維不織布焼結体を硝酸水溶液と接触させて形成された酸化膜を有することを特徴とする請求項１ないし７のいずれかに記載のフィルター。
【請求項９】
請求項１ないし８のいずれかに記載のフィルターが、液体を飛翔させて像を形成する部材の液体供給経路中に設置されていることを特徴とする液体吐出へッド。
【手続補正２】
【補正対象書類名】明細書
【補正対象項目名】００１１
【補正方法】変更
【補正の内容】
【００１１】
上記課題を解決するため、本発明では、通液流路に設置される金属繊維不織布焼結体からなるフィルターにおいて、前記フィルターの最外部及びその最外部近傍にある金属繊維の表面に付着する付着物を、金属繊維の表面層と共に除去したことを特徴とする。
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
印刷の間、印刷ヘッドに対して基板を動かすステージと、
前記ステージ上の支持体から吊され、前記ステージ上方の平面内で移動可能な、少なくとも１つの印刷ヘッドと、
前記印刷ヘッドの中心を中心として、前記印刷ヘッドを回転させるように動作するコントローラと、
前記印刷ヘッドの画像を撮像し、前記印刷ヘッドが回転しているときに撮像される前記印刷ヘッドの画像に基づいて、前記印刷ヘッドの中心点を決定する画像システムとを含むシステム。
【請求項２】
少なくとも１つの印刷ヘッドは水平面内で回動するようになっており、
前記画像システムは上部方向を狙うカメラを含み、
前記カメラは前記ステージの表面の高さより下に位置する請求項１記載のシステム。
【請求項３】
前記画像システムは、前記ヘッドが回動するときに、前記水平平面内において１８０度位相シフトした実質的に類似の円形状の軌跡を通過する、前記印刷ヘッド上の少なくとも２つのノズルを識別し、前記２つのノズルに基づいて、前記印刷ヘッドの中心点を決定する請求項１記載のシステム。
【請求項４】
印刷ヘッドの画像を撮像するカメラと、
前記カメラに接続され、前記カメラからの前記印刷ヘッドの画像を保持するよう動作するプロセッサと、
前記プロセッサに接続され、前記印刷ヘッドの画像を撮像し、前記印刷ヘッドが回転するときに、前記に撮像された前記印刷ヘッドの画像に基づいて、前記印刷ヘッドの中心点を決定するためのプロセッサの命令を保持するメモリとを含む装置。
【請求項５】
前記印刷ヘッドは水平平面内において回転するようになっており、
前記カメラは上方方向を狙い、
前記カメラは基板を動かすためのステージに隣接し、それより下の位置に位置し、
前記カメラはステージより下に位置している請求項４記載の装置。
【請求項６】
前記プロセッサは、前記ヘッドが回転しているときに、実質的に類似の円形状の軌跡を通過する、前記印刷ヘッド上の少なくとも２つのノズルを識別し、前記２つのノズルに基づいて、前記印刷ヘッドの中心点を決定するようになっている請求項４記載の装置。
【請求項７】
前記メモリは、
印刷ヘッド駆動機構へ印刷ヘッド回転要求を送出し、
前記印刷ヘッドが回転しているときに、前記カメラ上の水平平面上において、１８０度位相シフトしたほぼ類似の円形状の軌跡を通る、前記印刷ヘッド上の少なくとも２つのノズルを識別し、
前記２つのノズルに基づいて、前記印刷ヘッドの中心点を決定するプロセッサ命令を保持する請求項４記載の装置。
【請求項８】
印刷ヘッド駆動機構に、印刷ヘッド回転要求を送出し、
前記印刷ヘッドが回転しているときに、前記印刷ヘッドの画像を撮像し、
前記画像に基づいて、前記印刷ヘッドの中心点を決定し、
前記決定された中心点に基づいて前記印刷ヘッド駆動機構を較正し、
画像システムに接続されたカメラの上方へ印刷ヘッドを移動させることを含む方法。
【請求項９】
前記印刷ヘッドの中心点を決定することは、前記印刷ヘッドが回転するときに、水平平面内において１８０度位相シフトした、ほぼ類似の円形状の軌跡を通る、前記印刷ヘッド上の少なくとも２つのノズルを識別することを含む請求項８記載の方法。
【請求項１０】
前記印刷ヘッドの中心点を決定することは前記２つの識別されたノズルからのほぼ等距離にある前記印刷ヘッド上の１つの点を決定することを含む請求項９記載の方法。
【請求項１１】
印刷の間、印刷ヘッドに対して基板を動かすステージと、
前記ステージの上方の支持体から吊され、前記ステージの上方の平面内に移動可能になっている複数の印刷ヘッド・キャリッジと
前記支持体に対して、前記印刷ヘッド・キャリッジを動かすよう動作する印刷ヘッド駆動機構と、
印刷ヘッドに代えて、前記印刷ヘッド・キャリッジのうちの１つに搭載され、画像システムに結合されたカメラとを含む装置。
【請求項１２】
印刷ヘッド駆動機構によって、基板支持体の上方の平面内において、支持体から吊される複数の印刷ヘッド・キャリッジを動かし、
印刷ヘッドに代えて、前記印刷ヘッド・キャリッジのうちの１つに搭載されたカメラからの情報を用いて、前記印刷ヘッドの位置を決定することを含む方法。
【請求項１３】
前記印刷ヘッドの位置を決定することは、コントローラへの、前記カメラにより撮像された画像を表す信号を送出することを含む請求項１２記載の方法。
【請求項１４】
前記印刷ヘッドの位置を決定することは更に、前記カメラの前記位置からの既知のオフセットに基づいて、前記印刷ヘッドの位置を計算することを含み、
前記画像は位置の参照マークである請求項１３記載の方法。
【請求項１５】
前記印刷ヘッドの位置を決定することは、前記印刷ヘッドのうちの１つによって堆積されたインクの液滴の場所に基づいて、前記印刷ヘッドの位置を計算することを含み、
前記画像は位置参照マーク及び前記インク液滴のものである請求項１３記載の方法。